(57)【要約】【課題】掃除機本体前部に突出部分が不要で、大型化と共に外観を損なったり、破損の畏れもなく、集塵容器を係止することができる電気掃除機を提供する。【解決手段】集塵容器４を掃除機本体１に着脱自在に装着し、掃除機本体１に対して回動自在に支持される蓋体６により集塵容器４の上部を覆って、蓋体６を集塵容器４に係脱自在に係合し、蓋体６側には、集塵容器４側に形成された係止部に係合すると共に係止状態を解除する解除操作部４９を有する第１係合部材（クランプ４６）を備え、掃除機本体１の集塵容器装着部側には、集塵容器４の装着時に、集塵容器４底部に当接して回動し、集塵容器４側に形成された係止部５１に係合する第２係合部材（略Ｃ字状クランプ５２）を備えた。【選択図】　　　　図８
2004057662.tif 000002
【特許請求の範囲】
【請求項１】
集塵容器を掃除機本体に着脱自在に装着し、掃除機本体に対して回動自在に支持される蓋体により集塵容器の上部を覆って、蓋体を集塵容器に係脱自在に係合し、蓋体側には、集塵容器側に形成された係止部に係合すると共に係止状態を解除する解除操作部を有する第１係合部材を備え、掃除機本体の集塵容器装着部側には、集塵容器の装着時に、集塵容器底部に当接して回動し、集塵容器側に形成された係止部に係合する第２係合部材を備えたことを特徴とする電気掃除機。
【請求項２】
前記蓋体側に備えられる第１係合部材は、前記集塵容器側の前部に形成された係止部に係合するように構成したことを特徴とする請求項１記載の電気掃除機。
【請求項３】
前記第１係合部材は、蓋体の上面の前後方向に形成された取手の前部に備えられて、集塵容器の上面の前後方向に形成された取手の前部に備えられた係止部に係合するように構成したことを特徴とする請求項２記載の電気掃除機。
【請求項４】
前記掃除機本体の集塵容器装着部側に備えられる第２係合部材は、略Ｃ字状を成してその中央部分が掃除機本体の集塵容器装着部の前部に回動可能に軸支され、集塵容器が装着部に載置されると、集塵容器底面が第２係合部材の下方の遊端に接触して回動し、上方の遊端が集塵容器前面に形成された係止段部に係合することを特徴とする請求項１ないし請求項３のいずれかに記載の電気掃除機。
【請求項５】
前記蓋体の裏面側に、集塵容器の上面の前後方向に形成された取手に係合する蓋体閉鎖時用のガイド部を形成したことを特徴とする請求項１ないし請求項４のいずれかに記載の電気掃除機。
【請求項６】
前記蓋体の裏面側に、集塵容器内を掃除するアタッチメントを収納する収納部を形成したことを特徴とする請求項１ないし請求項５のいずれかに記載の電気掃除機。
【発明の詳細な説明】
【０００１】
【発明の属する技術分野】
本願発明は電気掃除機に係わり、特に集塵容器の上部を覆う蓋体を設け、この蓋体を集塵容器の上部に係合する構成とした電気掃除機に関するものである。
【０００２】
【従来の技術】
上記のように、集塵容器の上部を覆う蓋体を設け、この蓋体を集塵容器の上部に係合する構成としたものが、特開２００２−１７６２３号公報（Ａ４７Ｌ　９／００）にて知られている。
【０００３】
この電気掃除機は、蓋体上部に形成した取手を持った際に、蓋体が集塵容器と共に掃除機本体に対して回動しないように、蓋体を集塵容器の後部側の掃除機本体にクランプにより係止している。そして、集塵容器は、掃除機本体及び蓋体に対して回動するのを阻止するために、集塵容器の前部に形成した取手下部に、掃除機本体前部に形成した突部を挿入する構成としている。
【０００４】
【発明が解決しようとする課題】
しかしながら、この構成では、掃除機本体前部に突出部分が必要となり、掃除機本体が大型化すると共に、見栄えが悪くなる問題がある。また、集塵容器を取り外した状態で突部が露出するため、突部が破損しやすく、突部が破損すると、集塵容器が掃除機本体に対して回動するのを阻止することができないものであった。
【０００５】
また、蓋体は、集塵容器の後部側の掃除機本体部分で係止されるため、蓋体の先端側では集塵容器を係止することができないものであった。
【０００６】
そこで、本願発明はこのような課題を解決するためになされたものであり、掃除機本体前部に突出部分が不要で、大型化と共に外観を損なったり、破損の畏れもなく、集塵容器を係止することができる電気掃除機を提供することを目的とするものである。
【０００７】
【課題を解決するための手段】
上記のような目的を達成するために、本願発明は、集塵容器を掃除機本体に着脱自在に装着し、掃除機本体に対して回動自在に支持される蓋体により集塵容器の上部を覆って、蓋体を集塵容器に係脱自在に係合し、蓋体側には、集塵容器側に形成された係止部に係合すると共に係止状態を解除する解除操作部を有する第１係合部材を備え、掃除機本体の集塵容器装着部側には、集塵容器の装着時に、集塵容器底部に当接して回動し、集塵容器側に形成された係止部に係合する第２係合部材を備えたことを特徴とするものである。
【０００８】
さらに、前記蓋体に備えられる第１係合部材は、前記集塵容器側の前部に形成された係止部に係合するように構成したことを特徴とするものである。
【０００９】
具体的には、前記第１係合部材は、蓋体の上面の前後方向に形成された取手の前部に備えられて、集塵容器の上面の前後方向に形成された取手の前部に備えられた係止部に係合するように構成したことを特徴とするものである。
【００１０】
また、前記掃除機本体の集塵容器装着部側に備えられる第２係合部材は、略Ｃ字状を成してその中央部分が掃除機本体の集塵容器装着部の前部に回動可能に軸支され、集塵容器が装着部に載置されると、集塵容器底面が第２係合部材の下方の遊端に接触して回動し、上方の遊端が集塵容器前面に形成された係止段部に係合することを特徴とするものである。
【００１１】
さらに、前記蓋体の裏面側に、集塵容器の上面の前後方向に形成された取手に係合する蓋体閉鎖時用のガイド部を形成したことを特徴とするものである。
【００１２】
また、前記蓋体の裏面側に、集塵容器内を掃除するアタッチメントを収納する収納部を形成したことを特徴とするものである。
【００１３】
【発明の実施の形態】
以下、本願発明の一実施形態を図１〜図１４を参照して詳細に説明する。
【００１４】
本実施形態の電気掃除機における掃除機本体１は、本体ケース２の前側の開放空間に、図示しない可撓性ホースの接続管が差し込まれる差込口３を有して着脱可能に装着されるサイクロン式の集塵容器４が配置され、後側の本体ケース２内には図示はしないが電動送風機が収納される電動送風機収納室と、コードリールが収納されるコードリール収納室等が配置されている。上記サイクロン式集塵容器４は、本体ケース２の前側に集塵容器装着部として図６に示すように略円形に窪ませた載置部５に載置されて、当該集塵容器４の後述する排気口と電動送風機収納室の吸引口とが連通するように構成されている。
【００１５】
掃除機本体１の上面側には、集塵容器４の上部を覆う蓋体６が掃除機本体１に対してヒンジ等により回動自在に支持されて設けられており、この蓋体６の上面の前後方向にわたって掃除機運搬用の取手７が設けられている。また、この蓋体６の基部両側に位置して、電源スイッチ用ボタン８とコード巻取用ボタン９が配置され、後部側には斜め上向きに形成された排気孔１０が設けられている。
【００１６】
また、本体ケース２の後部両側面には大径の後車輪１１が取り付けられ、本体ケース２の底面側前部には、左右一対のキャスター式の前車輪１２が取り付けられている。また、本体ケースの前面から両側面にわたってバンパー１３が取り付けられている。
【００１７】
上記集塵容器４は、図４，図５に示すように、透明樹脂等で略円筒状に形成された集塵ケース１４の内側に円筒状のプレフィルタ１５が装着され、さらにその内側に略円筒状のメインフィルタ１６が装着された構成となっている。
【００１８】
上記集塵ケース１４には、掃除機本体１に装着したときに前面を向くホース差込口３の上部側から立ち上がり、後方に向けて延ばされた取手１７が形成されている。
【００１９】
また、上記取手１７の開放端側の集塵ケース１４上面には、上記プレフィルタ１５を回動するためのキャップ状のハンドル１８が取り付けられている。
【００２０】
また、この集塵ケース１４には、前述したように前面側上部に可撓性ホースの接続管が差し込まれる差込口３が形成され、この差込口３は集塵ケース１４の吸気口１９を介して集塵ケース１４内に連通しており、この吸気口１９から集塵ケース１４内に吸引される塵埃を含んだ空気は集塵ケース１４内で下方に向けて螺旋状に旋回するように構成されている。
【００２１】
さらに、上記集塵ケース１４の底部には、取手１７やホース差込口３の下方に位置して設けられたヒンジ２０により開閉自在に構成された集塵蓋２１が取り付けられている。この集塵蓋２１は、取手１７とは反対側の集塵ケース１４下部に設けられたクランプレバー２２の下端に形成されたクランプフック２３を集塵蓋２１周縁の突出部２４に引っ掛けることにより、集塵蓋２１が閉じた状態にロックされるようになっている。
【００２２】
上記クランプレバー２２は、その両側に形成されたリブ２５に支軸２６が回動自在に取り付けられており、支軸２６の上側にコイルバネ（図示せず）が装着されて、下端部のフック２３が集塵蓋２１側に付勢されている。
【００２３】
さらに、上記クランプレバー２２と集塵ケース１４間を上下動可能に集塵蓋開放用アーム２７が取り付けられている。この集塵蓋開放用アーム２７の上端の操作部２８には、当該アーム２７を上方に付勢するコイルバネ（図示せず）が装着されており、また、前記クランプレバー２２のコイルバネ位置には集塵蓋開放用アーム２７が上下動してもコイルバネに当たらないように縦長の孔２９が形成されている。
【００２４】
また、前記集塵蓋開放用アーム２７には、クランプレバー２２の支軸２６の下側位置に、クランプレバー２２の内側への傾斜面３０に対応して、外側に突出する凸部３１が形成されており、集塵蓋開放用アーム２７の押し下げ時に当該凸部３１がクランプレバー２２の傾斜面３０に当接して外側に押し退けることにより、クランプフック２３の集塵蓋側突出部２４への引っ掛かりを解除できるようになっている。
【００２５】
一方、集塵蓋２１の上面には、プレフィルタ１５の下部開口内周に嵌合する環状凸部３２が形成され、プレフィルタ１５の回動による下端部の横ぶれを防ぐようになっている。
【００２６】
上記集塵蓋２１の環状凸部３２の内側には、メインフィルタ１６からの通気路を形成する筒状体３３の下部開口３４側が嵌合して集塵ケース１４外に開口する排気口３５が形成されており、この排気口３５と前述した電動送風機収納室の吸引口とが連通するように構成されている。
【００２７】
上記メインフィルタ１６は、その上面側の中央部から上方に突出する取付軸３７が集塵ケース１４の天板３８に形成された筒状の取付部３９に嵌め込まれて取り付けられている。これら集塵ケース１４の天板３８とメインフィルタ１６上面との間には、上記天板３８に形成された筒状取付部３９を摺動軸とするプレフィルタ１５の筒状回動軸４０が装着されている。
【００２８】
上記プレフィルタ１５の筒状回動軸４０は、前記プレフィルタ回動用ハンドル１８と歯車機構４１を介して連結されており、プレフィルタ回動用ハンドル１８を回す方向に対応してプレフィルタ１５が回動するようになっている。
【００２９】
また、プレフィルタ１５の筒状回動軸４０の下部には、外側に突出してメインフィルタ１６の内周側のプリーツ状先端部に当たる弾性突起４２が形成されており、プレフィルタ回動用ハンドル１８を回すことにより、弾性突起４２が回動して、細塵が付着するメインフィルタ１６の内面側を弾くことで、付着した細塵を除去することができるようになっている。
【００３０】
また、このプレフィルタ１５は、下部側が網目４３となっており、この網目４３で比較的大きな塵埃（粗塵）を濾過するようになっている。このようにプレフィルタ１５のフィルタ部分である網目４３が集塵ケース１４内の下方に位置して形成されていることにより、集塵ケース１４の上方にある吸気口１９から空気と共に入った塵埃が高速で旋回しながら下方に押しやられ、集塵ケース１４の底面（集塵蓋２１）にプレスされた状態で堆積する。
【００３１】
さらに、このプレフィルタ１５の外周には、上下方向に螺旋状のリブ４４が形成されている。この螺旋状のリブ４４は、前述したプレフィルタ回動用ハンドル１８を所定方向に回したときに、集塵ケース１４内に蓄積し圧縮された塵埃を集塵蓋２１が開いた排出口方向に押し出す向きに形成されている。
【００３２】
一方、メインフィルタ１６は、濾過された空気の通気路となる筒状体３３を囲むように、プリーツ状（蛇腹状）に折り畳まれた濾紙フィルタを筒状に配設したものであり、その中央上部に形成された取付軸３７を集塵ケース１４の天板３８に形成された筒状取付部３９に嵌合すると共に、前記プレフィルタ１５の回動に伴って回動しないように固定してある。
【００３３】
なお、上記集塵容器４で塵埃が濾過された空気は、上記メインフィルタ１６の筒状体３３の下部側開口３４より集塵蓋２１の排気口３５を介して集塵ケース１４外に出てから、図示はしないが、電動送風機収納室の吸引口から電動送風機に取り込まれ、電動送風機から排出された排気は排気フィルタを介して掃除機本体１の後部に形成された排気孔１０から外部へ排出されるようになっている。
【００３４】
一方、本実施形態においては、上記集塵容器４の取手１７の前部両側に、蓋体６側の取手７の前部に備えられた第１係合部材が係合する係止突起４５が形成されている。蓋体６側の取手７の前部に備えられた第１係合部材は、図７に示すように、両側に取り付けられたクランプ４６から成り、両クランプ４６には、支軸４７の下部側に上記集塵容器４側の係合突起４５に引っかかるフック４８が形成され、支軸４７の上部側には取手７の外側に露出して上記フック４８の突起４５への係止状態を解除するための解除操作部４９が形成されている。この解除操作部４９の裏面側にはコイルバネ５０が装着されており、下部側のフック４８が突起４５に係止する方向に付勢されている。
【００３５】
従って、蓋体６を閉じるときは、自動的に、上記クランプ４６のフック４８傾斜面が突起４５に当たることにより、コイルバネ５０の付勢力に抗してフック４８が外側に広げられ、突起４５を乗り越えるとコイルバネ５０の付勢力でフック４８を突起４５にしっかりと係止することができるようになっている。また、掃除機運搬時に取手７を持った状態では上記係止状態が保持されるので、蓋体６が集塵容器１４から外れることはなく、蓋体開放時に親指と人差し指等で両側のクランプ４５の解除操作部４９を挟んで押し込むようにすることにより、初めてクランプ４６のフック４８が係止突起４５から外れて蓋体６を開放することができるようになっている。
【００３６】
また、集塵容器４の前面側下部には、集塵蓋２１のヒンジ２０が設けられた部位の前面側に、掃除機本体１の集塵容器載置部５の前部に取り付けられた第２係合部材が係合する係止段部５１が形成されている。上記第２係合部材は、図８等に示すように、略Ｃ字状を成すクランプ５２で構成され、その中央部分が掃除機本体１の集塵容器載置部５の前部に支軸５３によって回動可能に軸支され、集塵容器４が載置部５に載置されると、集塵容器４の底面前端が略Ｃ字状クランプ５２の下方の遊端５４に接触して回動し、上方の遊端５５が集塵容器４前面に形成された係止段部５１に係合するように構成されている。
【００３７】
上記のように構成することにより、前記従来の公報で示されたような掃除機本体前部の突出部分が不要で、大型化と共に外観を損なったり、破損の畏れもなく、比較的簡単な構成で集塵容器４を確実に係止することができる。
【００３８】
また、上記略Ｃ字状クランプ５２は、図示しないバネにより上方の遊端５５が外側に回動する方向に付勢されており、集塵容器４の装着時には略Ｃ字状クランプ５２の上方の遊端５５が外側に開いているので、集塵容器４の装着時に上方の遊端５５が邪魔にならずに簡単に装着できるようになっている。
【００３９】
一方、蓋体６の裏面側には、図９，図１０に示すように、集塵容器４の上面の前後方向に形成された取手１７に係合する蓋体閉鎖時用のガイドリブ５６が形成されており、集塵容器４を装着して蓋体６を閉めるときに蓋体６を確実にガイドして、蓋体６を所定位置にスムーズに閉じることができるようになっている。
【００４０】
さらに、蓋体６の裏面側には、図１０，図１１に示すように、集塵容器４内に装着されたメインフィルタ１６を掃除するためのアタッチメント５７を収納する収納部５８が形成されている。このフィルタ掃除用アタッチメント５７は、メインフィルタ１６のプリーツ状の隙間に付着した塵埃を効率良く取り除くことができるように、図１０に示す如く先端部５９が櫛歯状に形成されている。
【００４１】
上記収納部５８は、フィルタ掃除用アタッチメント５７の長手方向両端部に対応して形成された一対のリブ６０，６０と、中央部の細幅部を弾性的に挟み込むようにして保持する一対のリブ６１，６１で形成されている。また、この収納部５８は、図１１，図１２に示すように、集塵容器４上面にあるキャップ状のプレフィルタ回動用ハンドル１８の上面に近接する位置に形成されており、掃除時や運搬時の振動やショックで万一アタッチメント５７がリブ６１，６１間から外れても、収納部５８から他所へ落下しないようになっている。
【００４２】
以上のように構成された本実施形態において、集塵容器４を掃除機本体１に装着するときは、蓋体６が開放された掃除機本体１前部の集塵容器載置部５に集塵容器４を載置する。集塵容器載置部５に集塵容器４を載置すると、集塵容器４底面の前部側が略Ｃ字状クランプ５２の下方の遊端５４に接触して、当該クランプ５２が回動し、クランプ５２の上方の遊端５５が集塵容器４前面下部の係止段部５１に係合する。
【００４３】
そして、蓋体６を閉じると、蓋体６側の取手７の前部両側に備えられたクランプ４６の下端のフック４８が、集塵容器４側の取手１７の前部両側に形成された係止突起４５に引っかかって、蓋体６が集塵容器４にしっかりと係止される。さらに、本実施形態では、蓋体６裏面側に蓋体閉鎖時用のガイドリブ５６が形成されているので、集塵容器４を装着して蓋体６を閉じるときに蓋体６を確実にガイドして、蓋体６を所定位置にスムーズに位置決め固定することができる。
【００４４】
この状態で、蓋体６の取手７を持ち上げて蓋体６が集塵容器４と共に回動しようとした際には、略Ｃ字状クランプ５２が図８の反時計廻りに回動しようとするが、略Ｃ字状クランプ５２の下方の遊端５４が集塵容器４底面の前部側に当接して回動が阻止され、従って、集塵容器４が回動するのが阻止される。
【００４５】
一方、掃除時には、床用吸込具等から吸い込まれた塵埃を含んだ空気が、延長管やホースを通って集塵容器４のホース差込口３から吸気口１９を介して集塵ケース１４内に入り、その内壁に沿って旋回しながら下方へ流れ、大きな塵埃（粗塵）は底に堆積する。
【００４６】
このとき、空気が吸い込まれるプレフィルタ１５の網目４３が集塵ケース１４内の下方に位置して形成されているので、前述したように、集塵ケース１４の上方にある吸気口１９から空気と共に入った塵埃が高速で旋回しながら下方に押しやられ、集塵ケース１４の底面（集塵蓋２１）よりプレスされた状態で堆積する。特に綿ごみの場合は、その効果は大で、例えば一般的なサイクロン分離式のものに比べて圧縮率は数倍大きくなる。このように塵埃の圧縮率が大きくなるため、同じ集塵容積でも、たくさんの塵埃を捕集することができる。
【００４７】
また、小さな塵埃（細塵）はプレフィルタ１５の下方に設けられた網目４３を通ってプレフィルタ１５の内側に入り、プリーツ状のメインフィルタ１６にて濾過され、きれいな空気のみメインフィルタ１６の内側に入って下方へと流れ、電動送風機を通って排気孔１０より外部に排出される。
【００４８】
本実施形態の集塵容器１４に備えられた円筒状プレフィルタ１５には、前述したように、その筒状回動軸４０の下部に、メインフィルタ１６の内側のプリーツ状先端部に当たる弾性突起４２が設けられている。また、その外周面には螺旋状のリブ４４が設けられている。さらに、プレフィルタ１５の筒状回動軸４０は、歯車機構４１を介してプレフィルタ回動用ハンドル１８に連動している。
【００４９】
従って、プレフィルタ回動用ハンドル１８を任意の方向に回すことにより、プレフィルタ１５が対応する方向に回動する。プレフィルタ１５が回動すると、その回動軸４０下部の弾性突起４２がメインフィルタ１６の内側のプリーツ状先端部を弾くため、その振動によりメインフィルタ１６に付着している細塵が振り落されて下方に落下する。また、集塵ケース１４内に圧縮された状態で堆積した大きな塵埃（粗塵）がプレフィルタ１５の外周面に付着している細塵を拭く働きをする。従って、メインフィルタ１６及びプレフィルタ１５への塵埃の付着による集塵効率の低下を効果的に防ぐことができる。
【００５０】
また、集塵ケース１４内に堆積する大きな塵埃（粗塵）は、プレフィルタ１５の下方に形成された網目４３を徐々に塞いでゆくが、上述したプレフィルタ１５の回動により、その外周に形成された螺旋状のリブ４４が上下動するため、プレフィルタ１５の網目４３と塵埃との間に隙間（通気路）を形成するように作用する。従って、この点においても、集塵効率の低下を防ぐことができる。
【００５１】
一方、集塵容器４内に溜まった塵埃を排出するために集塵容器４を取り外す際には、蓋体６の取手７の前部両側に備えられたクランプ４６の解除操作部４９を親指と人差し指等で挟むようにして押し込むことにより、クランプ４６のフック４８と集塵容器４側の係止突起４５との係止状態を解除して、図１３に示すように蓋体６を開放する。蓋体６を開放したら、図１４に示すように、集塵容器４の図中右側を上方に持ち上げるように傾斜させると、略Ｃ字状クランプ５２の下方の遊端５４が集塵容器４底面の前部から外れ、この状態で集塵容器４を上方に持ち上げると、略Ｃ字状クランプ５２が回動してクランプ５２の上方の遊端５５と集塵容器４前面の係止段部５１との係合が外れ、集塵容器４を容易に取り外すことができる。
【００５２】
そして、集塵容器４内に溜まった塵埃を捨てる際には、集塵蓋開放用アーム２７の操作部２８を押し下げると、その下方に形成された凸部３１がクランプレバー２２の傾斜面３０に当たって外側に押し退けるので、当該レバー２１が回動して下端のクランプフック２３が集塵蓋２１側の突出部２４から外れ、集塵蓋２１が開放されて集塵容器４内に蓄積された塵埃を排出することができる。
【００５３】
このようにして、集塵蓋２１を開放し集塵ケース１４内に蓄積された塵埃を排出することができるが、特に綿ごみ等は圧縮されて集塵ケース１４の内壁に密着しているため、そのままでは容易に離脱しない。ここでプレフィルタ回動用ハンドル１８を所定方向に回しプレフィルタ１５を所定方向に回動させると、プレフィルタ１５の外周に設けられた螺旋状のリブ４４が綿ごみ等の圧縮された塵埃を押し出すように作用するので、容易に排出することができる。
【００５４】
また、集塵蓋２１のヒンジ２０が集塵容器４の取手１７と同一側に設けられているので、取手１７を持って集塵蓋２１を開けた時、排出される塵埃が取手１７を持った使用者の方に来るのを集塵蓋２１で防ぐことができるため、使用者に塵埃がかかるような不具合を防ぐことができる。
【００５５】
また、弾性突起４２でメインフィルタ１６の内側のプリーツ状先端部を弾くことによる振動によってもメインフィルタ１６の表面に付着して残る塵埃は、蓋体６の裏面側の収納部５８に収納してあるフィルタ掃除用アタッチメント５７を取り外して、その櫛歯状先端部５９をメインフィルタ１６のプリーツ状部分に挿入して掻き取ることにより、付着した塵埃をきれいに除去することができる。
【００５６】
このようなアタッチメント５７は、常時使用するものでないので、紛失しやすいものであるが、本実施形態では、蓋体６の裏面側のデッドスペースを有効利用して、その収納部５８を形成しているので、収納用のスペースを別途確保することなく、フィルタ掃除用アタッチメント５７の紛失を防ぐことができる。
【００５７】
【発明の効果】
以上のように本願発明によれば、蓋体側には、集塵容器側に形成された係止部に係合すると共に係止状態を解除する解除操作部を有する第１係合部材を備え、掃除機本体の集塵容器装着部側には、集塵容器の装着時に、集塵容器底部に当接して回動し、集塵容器側に形成された係止部に係合する第２係合部材を備えたことにより、掃除機本体前部には突出部分が不要で、大型化と共に外観を損なったり、破損の畏れもなく、集塵容器を係止することができる。
【００５８】
さらに、前記蓋体に備えられる第１係合部材は、前記集塵容器側の前部に形成された係止部に係合するように構成したことにより、集塵容器をより確実に係止することができる。
【００５９】
具体的には、前記第１係合部材は、蓋体の上面の前後方向に形成された取手の前部に備えられて、集塵容器の上面の前後方向に形成された取手の前部に備えられた係止部に係合するように構成したことにより、第１係合部材側が比較的簡単な構成で、上述したような効果を得ることができる。
【００６０】
また、前記掃除機本体の集塵容器装着部側に備えられる第２係合部材は、略Ｃ字状を成してその中央部分が掃除機本体の集塵容器装着部の前部に回動可能に軸支され、集塵容器が装着部に載置されると、集塵容器底面が第２係合部材の下方の遊端に接触して回動し、上方の遊端が集塵容器前面に形成された係止段部に係合するように構成したことにより、第２係合部材側が比較的簡単な構成で、上述したような効果を得ることができる。
【００６１】
さらに、前記蓋体の裏面側に、集塵容器の上面の前後方向に形成された取手に係合する蓋体閉鎖時用のガイド部を形成したことにより、蓋体の閉鎖時に蓋体を確実にガイドして集塵容器に係合することができる。
【００６２】
また、前記蓋体の裏面側に、集塵容器内を掃除するアタッチメントを収納する収納部を形成したことにより、蓋体裏面側のデッドスペースを有効利用して、集塵容器内を掃除するアタッチメントの紛失を防止することができる。
【図面の簡単な説明】
【図１】本願発明の一実施形態に係る電気掃除機における掃除機本体の側面図。
【図２】同じく、正面図。
【図３】同じく、上面図。
【図４】上記実施形態で用いられる集塵容器の側面図。
【図５】同じく、その中央部の縦断面図。
【図６】上記掃除機本体から集塵容器と蓋体を取り外して見た上面図。
【図７】本願発明における第１係合部材を説明するための図１のＡ−Ａ要部断面部。
【図８】本願発明における第２係合部材を説明するために要部を切欠断面で示した側面図。
【図９】本願発明におけるガイド部を説明するための図１のＢ−Ｂ要部断面図。
【図１０】上記蓋体の裏面図。
【図１１】上記図１０のＣ−Ｃ要部断面図。
【図１２】上記図１０のＤ−Ｄ要部断面図。
【図１３】上記実施形態における蓋体の開閉時の状態を示す側面図。
【図１４】上記実施形態における集塵容器の着脱時の状態を示す側面図。
【符号の説明】
１　掃除機本体
２　本体ケース
３　差込口
４　集塵容器
５　載置部（装着部）
６　蓋体
７　取手
１４　集塵ケース
１５　プレフィルタ
１６　メインフィルタ
１７　取手
４５　係止突起
４６　クランプ（第１係合部材）
４７　支軸
４８　フック
４９　解除操作部
５０　コイルバネ
５１　係止段部
５２　略Ｃ字状クランプ（第２係合部材）
５３　支軸
５４，５５　遊端
５６　ガイドリブ
５７　フィルタ掃除用アタッチメント
５８　収納部
５９　先端部
６０，６１　リブ
【図１】
2004057662.tif 000003
【図２】
2004057662.tif 000004
【図３】
2004057662.tif 000005
【図４】
2004057662.tif 000006
【図５】
2004057662.tif 000007
【図６】
2004057662.tif 000008
【図７】
2004057662.tif 000009
【図８】
2004057662.tif 000010
【図９】
2004057662.tif 000011
【図１０】
2004057662.tif 000012
【図１１】
2004057662.tif 000013
【図１２】
2004057662.tif 000014
【図１３】
2004057662.tif 000015
【図１４】
2004057662.tif 000016